(57)【要約】  移動する湿り石こうボード(100)内に凹み(105)を形成するための加圧装置(10)及び加圧方法が開示されている。加圧装置は、ボードに接触するように構成された加圧面を具備する加圧ヘッド(16)と、支持部材(17)とを備える。加圧ヘッド(16)は、ボード(100)内に凹み(105)を形成すべく、前記加圧面と支持部材(17)との間でボードの一部を圧縮するように構成されている。前記加圧面は、レリーフ部(27)によって分割される第１及び第２の表面部分(25,26)を備え、レリーフ部は、第１及び第２の表面部分(25,26)よりも小さな圧縮力で支持ヘッド(17)に向けてボード(100)を押圧するようにアレンジされている。加圧装置は更に、移動するボードの方向にほぼ対応する第１の方向、及び、ボードの平面にほぼ直交する第２の方向に、前記第１の方向における加圧装置の速度をボードの速度とほぼ一致させつつ、前記加圧ヘッド及び支持部材を移動させるための駆動手段を備えている。【選択図】図１
2015500752.tif 000002
【特許請求の範囲】
【請求項１】
移動する湿り石こうボード内に凹みを形成するための加圧装置であって、
当該加圧装置は、ボードに接触するように構成された加圧面を具備する加圧ヘッドと、支持部材とを備えており、
前記加圧ヘッドは、ボード内に凹みを形成すべく、前記加圧面と前記支持部材との間でボードの一部を圧縮するように構成されており、
当該加圧装置は更に、移動するボードの方向にほぼ対応する第１の方向、及び、ボードの平面にほぼ直交する第２の方向に、前記加圧ヘッド及び前記支持部材を移動させるための駆動手段を備えており、
前記加圧面は、第１の表面部分と第２の表面部分とを備えており、前記第１及び第２の表面部分は、レリーフ部によって分割され、且つ、前記レリーフ部によってボードに及ぼされる圧縮力よりも大きな圧縮力で前記支持ヘッドに向けてボードを押圧するように構成されている、ことを特徴とする加圧装置。
【請求項２】
前記レリーフ部は溝を備えている、ことを特徴とする請求項１に記載の加圧装置。
【請求項３】
前記駆動手段は、前記加圧ヘッド及び前記支持部材を前記第１の方向に、前記移動するボードの速度とほぼ一致する速度に加速するように構成されている、
ことを特徴とする請求項１又は２に記載の加圧装置。
【請求項４】
前記駆動手段は、前記第１の方向における前記加圧ヘッド及び支持部材の速度を前記移動するボードの速度にほぼ一致させながら、前記加圧ヘッドを前記支持部材に向けて移動させて前記ボード内に凹みを形成するように構成されている、
ことを特徴とする請求項３に記載の加圧装置。
【請求項５】
前記第１及び第２の表面部分は個別に一つの平面を備える、
ことを特徴とする請求項１〜４のいずれか一項に記載の加圧装置。
【請求項６】
前記加圧面は、前記加圧ヘッドに着脱可能に連結された又は前記加圧ヘッドと一体形成されたダイ（型部）上に配置されている、
ことを特徴とする請求項１〜５のいずれか一項に記載の加圧装置。
【請求項７】
前記レリーフ部は、前記ボードの幅を横切って延びるように構成されており、好ましくは、開口または凹部を備えてなる、
ことを特徴とする請求項１〜６のいずれか一項に記載の加圧装置。
【請求項８】
移動する湿り石こうボード内に凹みを形成するための方法であって、
当該方法は、加圧装置を使用するものであり、
当該方法は、次の各工程、即ち、
石こうボードを提供する工程と、
前記ボードの搬送方向における前記加圧装置の速度を前記ボードの速度にほぼ一致させながら、それと同時的に、前記加圧装置を前記ボードに向けて移動させて、前記加圧装置を前記ボードの一部に接触させるように、前記加圧装置を前記ボードの搬送方向に移動させる工程と、
前記加圧装置に前記ボードを圧縮させ、ほぼ同時に、前記ボードの相対的非圧縮部の側に凹みを形成する工程と、
を備える、ことを特徴とする方法。
【請求項９】
前記方法は更に、
前記ボードの搬送方向における前記加圧装置の速度と、前記移動するボードの速度とを比較する工程と、
両速度間の差に応じて、前記加圧装置の速度を調節する工程と、
を備えることを特徴とする請求項８に記載の方法。
【請求項１０】
前記ボードの搬送方向における前記加圧装置の速度は、ホーキンスリンク機構(Hoekens linkage)によって前記ボードの速度に一致させられる、
ことを特徴とする請求項９に記載の方法。
【請求項１１】
前記ボードの搬送方向における前記加圧装置の速度は、内トロコイド運動(hypotrochoid motion)によって前記ボードの速度に一致させられる、
ことを特徴とする請求項９に記載の方法。
【請求項１２】
前記加圧装置を前記ボードに接触させて圧縮する工程は、少なくとも１０％の石こう水和が起きたときに実行される、ことを特徴とする請求項８〜１１のいずれか一項に記載の方法。
【請求項１３】
前記加圧装置を前記ボードに接触させて圧縮する工程は、少なくとも４０％の石こう水和が起きたときに、より好ましくは、少なくとも６０％の石こう水和が起きたときに、実行される、ことを特徴とする請求項８〜１１のいずれか一項に記載の方法。
【請求項１４】
前記石こうボードは、シリコーンオイルを含む、
ことを特徴とする請求項８〜１３のいずれか一項に記載の方法。
【請求項１５】
前記シリコーンオイルは、１００〜１２００ｇ／ｍ３の量で存在する、
ことを特徴とする請求項１４に記載の方法。
【発明の詳細な説明】
【技術分野】
【０００１】
本発明は、ボード内に凹みを形成するための加圧装置及び方法に関する。とりわけ（但し、それに限定するものではないが）、移動する湿った石こうベースのボード内に凹みを形成するための加圧装置及び方法に関する。
【背景技術】
【０００２】
石こうボードあるいは石こう壁ボードは、ライニングペーパーからなる二つの外層間に挟まれた石こう（硫酸カルシウム２水和物）の内層を備える。石こうボードは、スタッコ(stucco)としても知られている焼き石こう（半水和物）を、水および添加剤と共に連続ミキサーに送り込むことで製造される。生み出されたスラリーは、ライニングペーパーの連続層間に配置されると共に、それを所望の厚さに圧縮する押出しシステムを通過させられる。この連続した湿り石こうボードがコンベアラインに沿って移動するにつれ、硫酸カルシウム半水和物が、そのオリジナルの２水和物形態に再水和する。湿潤した石こうボードは最初、ソフトであるが、ボードのコア部分が迅速に固まって硬化する。ペーパーは、ボードのコア部分に化学的及び機械的に結合するようになる。その後、石こうボードは所定長さに切断され、過剰の水分を取り除くべく乾かされて硬い乾式壁を生み出す。
【０００３】
石こうボードは、典型的には直線状の壁や天井に使用され、横並びの関係で壁や天井に固定される。ボード間のジョイントは、典型的にはメッシュテープで覆われ、ジョイントコンパウンド（結合用素材）がボード配列に適用（塗布）されて、ボード間のジョイントを覆うと共にスムーズな仕上げを提供する。このことは、ボード全体にしっくいを塗ることや大きなジョイントを使うことの必要性を未然に取り除く。しかしながら、仕上げの時間を短縮し、スムーズな仕上がりを得るために使われる仕上げ石こうの量を減らすため、石こうボードはまた、長手方向にテーパーなエッジ（縁部）を伴って形成され、その結果、メッシュテープはそのテーパーな領域に適用され、該テーパーな領域はジョイントを覆うべく満たされる。
【０００４】
このテーパーを形成するためには、押圧デバイスで石こうを圧縮することが必要となるが、これは、ライニングが石こうから分離するのを防止し且つ部分的に固まった石こうが押圧後の形状を維持可能であることを確実にすべく、湿った石こう層が部分的に固まったらすぐに（圧縮が）なされなければならない。ＥＰ０４８２８１０は、圧縮時の石こうの横方向へのシフト（ずれ）を回避するために、圧力が成功裏に付与され得る前の最小点に石こうがセット（固化）されなければならないことを開示する。このセッティング（固化作用）は、石こうの塊が横方向にずれることなく圧縮を許容するに十分な程度の剛性をコア部分が獲得するポイント（点）まで達しなければならない。
【０００５】
テーパーを作るための石こう層の再形成は一般に、石こう層をその底面から圧縮することによって実行され、これは典型的には、石こう層の水和サイクル（水和周期）中の特定の時間に対応するところの、生産ラインに沿った位置で実行される。水和サイクルの初期に層を再形成することは、石こうを圧縮する即ち高密度化するのに必要な力を小さくするという利点を有するが、しかし、水和サイクル初期における石こうの低粘度化、及び、層の底面におけるテーパーな凹みの形成は、圧縮後の形状を保持する圧縮石こうの能力を低下させる。特に、石こう層は、再形成操作後に垂れ下がる傾向にあり、その結果、石こう層の上面（即ち、圧縮力の適用領域の反対側）に凹みが形成される。それとは逆に、水和サイクルの後期に石こう層を再形成することは、当該層を圧縮する即ち高密度化するのに必要な力を増大させるが、圧縮された層が所望の形状を保持することを可能ならしめる。ＥＰ０４８２８１０は、再形成が水和サイクルの後期に最善実施されることを開示する。
【先行技術文献】
【特許文献】
【０００６】
【特許文献１】ＥＰ０４８２８１０
【発明の概要】
【課題を解決するための手段】
【０００７】
第１の態様から見られるような本発明に従い、移動する湿り石こうボード内に凹みを形成するための加圧装置が提供される。この加圧装置は、ボードに接触するようにアレンジ（構成）された加圧面を具備する加圧ヘッドと、支持部材とを備えており、前記加圧ヘッドは、ボード内に凹みを形成すべく、前記加圧面と前記支持部材との間でボードの一部を圧縮するようにアレンジ（構成）されている。
当該加圧装置は更に、移動するボードの方向にほぼ対応する第１の方向、及び、ボードの平面にほぼ直交する第２の方向に、前記加圧ヘッド及び前記支持部材を移動させるための駆動手段を備えており、
前記加圧面は、第１の表面部分と第２の表面部分とを備えており、前記第１及び第２の表面部分は、レリーフ部(relief portion)によって分割され、且つ、前記レリーフ部によってボードに及ぼされる圧縮力よりも大きな圧縮力で前記支持ヘッド（支持部材）に向けてボードを押圧するようにアレンジ（構成）されている。
【０００８】
好ましくは、前記加圧面は、前記レリーフ部がボード上にいかなる圧縮力も及ぼさないようにアレンジ（構成）されている。一般に、レリーフ部は、溝または谷(trough)を備えている。典型的には、その溝または谷は、加圧面を横切って延びている。
【０００９】
有利には、加圧装置は、ボードに対し最小の相対速度で動かしながらボードを圧縮することで、石こうコアに対するライニング材料の横方向シフト（横ズレ）を最小限度に抑える。加えて、ボードに沿ったのとは対照的に、ボードの平面にほぼ直交した（方向への）加圧ヘッドの移動は、凹みの周囲におけるうね(ridge)や盛り上がった部分の発達（生成）を最小化するのに役立つ。
【００１０】
レリーフ部は更に、より高密度な二つの領域の間に配置されるところのボードのより低密度な領域を提供する。相対的に低密度の領域は、そのいずれかの側で第１及び第２の表面部分によって形成されるテーパーにとってのサポート（支持部）としての役割を果たし、再成形されたボードが元の形に戻るのを最小限度に抑える。特に、レリーフ部は、再成形操作後におけるボードのたるみ(sagging)を回避するのに役立ち得る。つまり、加圧装置がボードに接触した領域と反対側で、ボードの表面に凹みが遅れて形成されるのを防止するのに役立つ。従って、本発明の加圧装置は、水和サイクル（水和周期）の初期にボードが圧縮されるのを可能にし、必要な圧縮力の低減を容易にする。
【００１１】
加えて、次のことが判明している。即ち、相対的に低密度の部分は、相対的に高密度の領域に比べてボードのカッティング（切断）をずっと容易なものにし、カット刃の寿命を延ばし、更に、切断操作時にカット刃の刃こぼれ(snagging)を最小化する。
【００１２】
好ましくは、駆動手段は、加圧ヘッド及び支持部材を前記第１の方向に、移動するボードの速度とほぼ一致する速度に加速するようにアレンジ（構成）されている。好ましくは、駆動手段は、前記第１の方向における加圧ヘッド及び支持部材の速度を前記移動するボードの速度にほぼ一致させて、加圧ヘッドを支持部材に向けて移動させて前記ボード内に凹みを形成するようにアレンジ（構成）されている。
【００１３】
好ましくは、前記加圧面は、凹みがボードを横切って延びるように、ボードの幅に沿って延びるようにアレンジ（構成）されている。
【００１４】
好ましくは、レリーフ部は、長尺な形状を有する。典型的には、レリーフ部は、加圧面の外周の一領域から加圧面の外周の他方の領域まで延びている。好ましくは、加圧面は、当該加圧面が石こうボードに対し押圧されたときに、レリーフ部の配向（向き）がボードの横方向と対応するようにアレンジ（構成）されている。
【００１５】
好ましくは、第１及び第２の表面部分は、それぞれがレリーフ部に近づくにつれ、加圧ヘッドの外向き方向に延びている。それ故、効果的に、第１及び第２の表面部分は、加圧面に概して凸形の形状を提供する。
【００１６】
好ましくは、第１及び第２の表面部分の各々は、一つの平面を備える。
【００１７】
好ましくは、加圧面は、加圧ヘッドに着脱可能に連結された又は加圧ヘッドと一体形成されたダイ（型部）上に配置されている。レリーフ部は、好ましくは、ボードの幅を横切って延びるようにアレンジ（構成）されており、好ましくは、ダイ（型部）内に配置された開口、又は、ダイに形成された凹部を備える。
【００１８】
第２の態様から見られるような本発明に従い、移動する湿り石こうボード内に凹みを形成するための方法が提供される。当該方法は、加圧装置を使用するものであり、当該方法は、次の各工程を備える。即ち、
石こうボードを提供する工程と、
ボードの搬送方向における加圧装置の速度を前記ボードの速度にほぼ一致させながら、それと同時的に、加圧装置をボードに向けて移動させて、加圧装置をボードの一部に接触させるように、加圧装置をボードの搬送方向に移動させる工程と、
加圧ヘッド（加圧装置）にボードを圧縮させ、ほぼ同時に第１の凹み及び第２の凹みを形成する工程であって、第１及び第２の凹みは、ボードの相対的非圧縮部の側に配置されている、工程と、を備える。
【００１９】
この方法は、典型的には更に、加圧装置をボードの速度に加速させる予備工程を備えている。典型的には、この方法は更に、加圧ヘッドにボードを圧縮させる工程の後に、加圧装置を減速する工程を備える。
【００２０】
典型的には、加圧装置は、最初の静止位置から最後の静止位置まで移動する。一般に、加圧装置は、最後の静止位置に到達した後に最初の静止位置に復帰するようにアレンジ（構成）されている。
【００２１】
好ましくは、この方法は更に、ボードの搬送方向における加圧装置の速度と、移動するボードの速度とを比較し、両速度間の差に応じて加圧装置の速度を調節することを備えている。
【００２２】
典型的には、前記ボードの搬送方向における加圧装置の速度は、ホーキンスリンク機構(Hoekens linkage)によって、あるいは内トロコイド運動(hypotrochoid motion)によってボードの速度に一致させられる。
（訳注：「ホーキンスリンク機構」とは、回転運動をほぼ一定速度の略直線運動に変換する四節リンク機構をいう。Wikipedia, “Hoekens linkage”の項より）
【００２３】
加圧装置をボードに接触させて圧縮する工程は、典型的には、少なくとも１０％の石こう水和が起きたときに、好ましくは、少なくとも４０％の石こう水和が起きたときに、より好ましくは、少なくとも６０％の石こう水和が起きたときに、実行される。
【００２４】
典型的には、石こうボードは、シリコーンオイルを含む。好ましくは、そのシリコーンオイルは、１００ｇ／ｍ３以上、より好ましくは２００ｇ／ｍ３以上の量で存在する。好ましくは、そのシリコーンオイルは、６０００ｇ／ｍ３以下、より好ましくは８００ｇ／ｍ３以下、最も好ましくは４００ｇ／ｍ３以下の量で存在する。
【００２５】
参考までに言うと、ボードの重量は全体として、典型的には９６０ｋｇ／ｍ３以下であり、概して４８０〜７２０ｋｇ／ｍ３の範囲にある。
【００２６】
シリコーンオイルの存在は、本発明の方法を通じて生み出された第１及び第２の凹みの深さを増大させるのに役立つことが観察された。加えて、シリコーンオイルの存在は、石こうコアと、石こうボードの表面に設けられたライナーとの間におけるブリスター（blister、水膨れ、気泡の類）の形成を防止するのに役立つ。これらの効果は、シリコーンオイルの存在から生じた、石こうの変形性（能）の増大によるものと考えられる。
【００２７】
（従来、）シリコーンオイルは、石こうボードにおける撥水剤としての用途が知られているものである。しかしながら驚いたことに、撥水効果をもたらすために必要とされる水準（レベル）よりもずっと少ない水準（レベル）のシリコーンオイルを使うことで、凹みの深さを増大させること、及び／又は、ブリスターの発生率を減らすことを達成できることが判明した。
【００２８】
つまり、撥水性のボードを提供するためには、シリコーンは概して１４４０ｇ／ｍ３以上、より一般的には２４００〜４８００ｇ／ｍ３の範囲で存在しなければならない。これとは対照的に、ずっと少量のシリコーンオイルが、凹みの深さの増大及び／又はブリスター発生の低減のために要求される。例えば、これらの効果は、ちょうど３２０ｇ／ｍ３の量の、あるいはそれよりもずっと少ない量のシリコーンオイルを用いて達成され得る。
【００２９】
第２の態様に従う本方法の更に好ましい特徴は、第１の態様に従う加圧装置の特徴の一つ以上を備えてもよいものである。
【００３０】
本発明は、添付の図面を参照しつつ実施態様によって以下に説明される。
【図面の簡単な説明】
【００３１】
【図１】図１は、石こうボード製造ライン内に配置された、本発明の一実施形態に従う加圧装置の側面図である。
【図２】図２は、図１に示された加圧装置の平面図である。
【図３】図３は、図１に示された加圧装置の正面図である。
【図４】図４は、加圧ヘッド上に配置されるダイ（型部）の拡大図である。
【図５】図５は、連続ボードの斜視図である。
【図６】図６は、本発明の一実施形態に従う加圧装置によって作られる凹みを横断するところの、図５のＡ−Ａ線での拡大された縦方向断面図である。
【図７】図７は、ボードシートの斜視図である。
【図８】図８は、本発明の一実施形態に従うところの、移動する湿り石こうボード内に凹みを形成する方法に関連したステップ（工程）のフローチャートである。
【図９】図９は、本発明の第２実施形態に従う、加圧ヘッド上に配置されるダイ（型部）の断面図である。
【発明を実施するための形態】
【００３２】
図１〜４を参照すると、石こうボード１００が製造ラインに沿って移動するときに、図５，６に示すような湿り石こうボード１００内に凹み１０５を形成するための、本発明の一実施形態に従う加圧装置１０が示されている。連続したボード１００は、第１及び第２のライナー素材１０２，１０３間に配置された湿り石こう１０１の層を備える。ライナー１０２，１０３は、長手方向のサイドエッジ（側縁）に沿って互いの上に折りたたまれて、ボード１００の長手方向のサイドエッジ１０４ａ，１０４ｂを形成すると共に、石こう１０１がライナー１０２，１０３間から外に出るのを防止する。加圧装置１０は製造ライン内に配置され、ボード１００は、装置１０のいずれかの側に配置されたローラー群のベッド（図示略）上に支持されている。ボード１００は、装置１０を介して、ボード１００の長手方向サイドエッジ１０４ａ，１０４ｂにほぼ平行な方向に、ローラー台(roller platform)１１によるほぼ一定のスピードで駆動される。ローラー台１１は、複数のローラー１３を有するほぼ長方形状のローラーフレーム１２を備え、ローラー１３は、対向する長手方向ローラーフレーム部材１２ａ間においてフレーム１２を横切って延びており、且つ、複数のフレーム脚１４によって前記ローラー群のベッド（図示略）とほぼ同じレベル（高さ）でほぼ水平な配置で保持されている。
【００３３】
加圧装置１０は、ボード１００が該加圧装置１０を通過するときに、ボードの長さに沿った周期的間隔でボード１００内に凹み(depression)１０５を形成すべく構成されている。凹み１０５は、ボード１００の長手方向（縦方向）サイドエッジ１０４に対してほぼ横断する方向にボード１００をほぼ横切って延びるようにアレンジされている。ただし、読者（当業者）は、凹み１０５が長手方向サイドエッジ１０４に対して別の角度でボードを横切るように形成されてもよいことを悟るであろう。連続したボード１００は、凹み１０５内でボード１００を横切ってカットされ、図７に示すようなボードシート２００を形成する。各ボードシート２００の長手方向サイドエッジは、ボードシートの表面に対して直交する第１の部分２０１ａ，２０１ｂ、及び、ボードシートの表面に対して傾斜した角度で配向された第２の部分２０３ａ，２０３ｂを有している。横方向のサイドエッジは、長手方向（縦方向）サイドエッジ２０１ａ，２０１ｂをほぼ横断するように延びており、同様に、ボードシートの表面に対して直交する第１の部分２０２ａ，２０２ｂ、及び、ボードシートの表面に対して傾斜した角度で配向された第２の部分１０６，１０７を有している。このようにボードシート２００は、その外周部全体に展開するテーパーなエッジを有している。
【００３４】
図１〜３を参照すると、装置１０は、加圧ヘッド１６及び支持部材１７を支持するための支持フレーム１５を備える。支持フレーム１５は形状がほぼ長方形状であり、対向する縦方向サイド部材１５ａ及び横方向サイド部材１５ｂを備え、それらのうちの後者は、ローラー台１１、ひいてはボード１００の平面に対してほぼ直交して延びるように構成されている。これとは対照的に、支持フレームの縦方向サイド部材１５ａは、ローラー台にほぼ平行な平面内において、長手方向ローラーフレーム部材１２ａに対してほぼ横断する方向に延びるように構成されている。加圧ヘッド１６及び支持部材１７は、横方向サイド部材１５ｂ間で支持フレーム１５の幅を横切って延びるように構成されており、ボード１００の平面に対してほぼ平行に配向している。
【００３５】
加圧ヘッド１６は、その長手方向の各端部に配置された第１の駆動ユニット１８を備え、それらは、フレーム１５内で横方向サイド部材１５ｂに沿ってヘッド１６を駆動するように構成されている。支持部材１７は、その長手方向の各端部に配置された第２の駆動ユニット１９を備えており、それらは、フレーム１５内で横方向サイド部材１５ｂに沿って部材１７を駆動するように構成されている。第１及び第２の駆動ユニット１８，１９は、加圧ヘッド１６と支持部材１７の分離（離間動作）を可能にし、かくして、それら（１６，１７）の間を通過するようにアレンジされたボード１００からのそれらの分離（離間長）が変更されるのを可能にする。
【００３６】
支持フレーム１５それ自体は、駆動装置２０によって、ボードに対してローラー台１１上の固定した方向に保持されている。駆動装置２０は、ボード１００の移送方向にほぼ平行に該ボード１００に沿って支持フレーム１５を駆動するように構成されている。駆動装置２０は、二本の支持棒２１を備え、該支持棒の一方は、支持フレーム１５の各横方向サイド部材１５ｂを通過して延びており、その各端部において一対のフレーム脚１４に対し個別に連結している。駆動装置２０は更に、各横方向サイド部材１５ｂ上に配置された、支持フレーム１５を支持棒２１に沿って前後に駆動するための第３の駆動ユニット２２を備える。この点で、支持棒２１は、加圧ヘッド１６及び支持部材１７がボード１００の移送方向にほぼ平行な、ボード１００にほぼ沿った第１の方向に動くことを可能にし、その一方で、横方向サイド部材１５ｂは、加圧ヘッド１６及び支持部材１７がボード１００の平面にほぼ直交する第２の方向に動くことを可能にする。
【００３７】
装置１０は更に、ボード１００の移送速度を感知するための、それと関連付けられた一つ以上のセンサー（図示略）を備えている。加圧ヘッド１６及び支持部材１７が支持フレーム１５及び支持棒２１に沿って駆動されるスピードに影響を及ぼすべく、これらのセンサーは、前記第１、第２及び第３の駆動ユニット１８，１９，２２に入力される信号を出力するよう構成されている。
【００３８】
加圧ヘッド１６は図面には、ボード１００ひいては支持部材１７のほぼ下に配置されるとして描かれているけれども、読者（当業者）は、この配置が逆にされて、加圧ヘッド１６がボード１００ひいては支持部材１７の上に配置されてもよいことを認識するであろう。図４を参照すると、ボード１００に隣接配置される加圧ヘッド１６のサイドは、それに対して着脱可能に結合されてもよい、あるいは、それと一体的に形成されてもよいダイ（型部）２３を備えている。そのダイ（型部）２３は、加圧ヘッド１６の対向する長手方向端部間に展開し、ボード１００の幅を横切って延びるように構成されている。
【００３９】
ダイ（型部）２３は、第１及び第２の縦方向サイドエッジ２４ａ，２４ｂを備え、これらのエッジはボードを横切って延びるように構成されており、且つ、それらからは第１及び第２のほぼ平面的な加圧面２５，２６がそれぞれ延びている。第１の面２５は、ボード１００の移送方向に対して上り勾配に傾斜し、第２の面２６は、ボード１００の移送方向に対して下り勾配に傾斜しており、その結果、第１及び第２の加圧面２５，２６は、加圧ヘッド１６並びにダイ２３の各縦方向サイドエッジ２４ａ，２４ｂから離れる方向で、ダイ２３のほぼ中央に配置されたレリーフ部(relief portion)２７に向かって収束している。
この点で、第１及び第２の表面部分２５，２６は、石こうボード１００内に対面するテーパー１０６，１０７を作り出すように構成されている。レリーフ部２７は、ダイ２３の長さに沿って延びるように構成され、その中に配置された開口部（図示略）あるいは図４に示したような凹部２８を備えてもよい。
【００４０】
図面の図８を参照すると、本発明の一実施形態に従う方法３００が描かれている。使用時、ボード１００は、ローラー台１１上に配置されたローラー１３によって、加圧ヘッド１６と支持部材１７との間を一定速度で装置１０を介して駆動される。支持部材１７及び加圧ヘッド１６は、引き続いてステップ３１０において、支持棒２１に沿った第３の駆動ユニット２２による第１の方向に沿って、第１の静止位置(stationary position)から、装置１０によるボード１００の速度とほぼ一致する速度に加速される。この速度は、センサー（図示略）を用いて決定されるような、ボード１００と、加圧ヘッド１６及び支持部材１７との間の相対速度を比較することによってモニター（監視）される。加圧ヘッド１６及び支持部材１７は、ステップ３１０において、支持フレーム１５の横方向サイド部材１５ｂに沿って、第１及び第２の駆動ユニット１８，１９によって、それぞれボード１００の上面及び下面に隣接する位置に同時に駆動される。
【００４１】
第１の方向における加圧ヘッド１６及び支持部材１７の速度がボード１００の速度にほぼ一致するとき、つまり、相対速度がボード速度のほぼ＋／−０．１％以内にあるとき、第１及び第２の駆動ユニット１８，１９は、ステップ３２０で、支持部材１７及び加圧ヘッド１６をお互いに向けて駆動し、それらの幅（方向）に沿ってボード１００を圧縮し、湿り石こう内に凹み１０５を形成するようにアレンジ（構成）されている。支持部材１７は、加圧ヘッド１６からの上向きの力に抵抗するように構成されており、ボード１００の上面に凹み（図示略）を形成することを回避すべく、ダイ（型部）２３の面に比べて十分にスムーズで大きな表面を提示している。
【００４２】
加圧ヘッド１６上に配置された第１の駆動ユニット１８は、加圧ヘッド１６がボード１００に対して入出方向に駆動される速度を制御するようにアレンジ（構成）されており、制御された着実な同期的押圧操作、短く一定したプレス（押圧）および退避（離脱）を許容する。更に、ボード１００と加圧ヘッド１６との間の相対速度を最小に維持しながらボード１００を圧縮することは、乾燥後のボードにおいて好ましくない隆起や突起を提示することになるであろう、凹み１０５のいずれかの側における湿り石こうの堆積（蓄積）を最小化する（最小限度にとどめる）。
【００４３】
ボード１００が圧縮されるにつれ、ライナー１０２，１０３間に配置された湿り石こう１０１は、ダイ２３及び支持部材１７の加圧表面間で圧縮される。第１及び第２の加圧面２５，２６は、凹部２８がボード上にいかなる圧縮力をも及ぼさないようにアレンジされている。かくして、図面の図６に示すようなボード１００の結果的に得られた軸方向（縦方向）断面形状は、第１及び第２の対向するテーパーな領域１０６，１０７を備え、それらの領域は、ボードの内の方に、非圧縮の盛り上がった支持段部１０８に向かって延びている。それ故、盛り上がった段部１０８内に配置された石こう部分は、その両側に配置されたボードの部分１０６ａ，１０７ａよりも低度に圧縮（つまり低密化）されている。
【００４４】
ダイ２３がボード１００内に押すようにアレンジされた深さは、例えば、力センサー（図示略）を用いてボード１００にかけられる力をモニターすることにより、あるいは例えば、装置１０上の参照位置（基準位置）に対する加圧ヘッド１６上の固定位置（決まった位置）をモニターすることにより、変更されてもよい。支持段部１０８の両側に対向テーパー１０６，１０７を形成すべくボード１００が圧縮されると、ステップ３３０において、加圧ヘッド１６と支持部材１７の分離が増大され、加圧ヘッド１６及び支持部材１７が第２の静止位置へ第１の方向に減速される。それからステップ３４０において、加圧ヘッド１６及び支持部材１７は、ボード１００の引き続く押圧操作のために、第２の位置から第１の位置へ支持棒２１に沿って戻るよう第２の方向に駆動される。第１位置から第２位置へ行き（再び）第１位置へ戻るという加圧ヘッド１６及び支持部材１７の循環運動は、凹み１０５がボード１００上の等間隔位置に、つまり＋／−２ｍｍ以内に形成されるのを確実にするように制御される。このことは、凹み１０５の中央部に沿ってカットされることで形成されるところの結果的に得られるボード（シート）２００がほぼ同じ長さを備えること、を確実にする。
【００４５】
ボード２００（の各々）は、凹み内にあるボードの低度に圧縮された部位に沿ってカット刃（図示略）を用いてボード１００をカットすることで形成される。低度に圧縮された部位は、連続ボード１００が圧縮（高密度化）された部位に沿ってカットされる場合よりも、連続ボード１００をもっと容易にカットすることを可能にし、カット刃（図示略）の寿命を延ばすと共に、ボード１００のライナー１０２，１０３を裂く可能性のあるボード１００上でのカット刃（図示略）の刃こぼれ(snagging)を最小化する（最小限度にとどめる）。
【００４６】
図９は、本発明の第２実施形態に従う、加圧ヘッド上に配置されるダイの代替構成を示す。図４とは対照的に、第１の加圧面２５ａ，２５ｂ並びに第２の加圧面２６ａ，２６ｂはそれぞれ、二つの部分に分割されている。第１及び第２の加圧面の外側部分２５ｂ，２６ｂは共平面(co-planar)をなし、その一方で、内側部分２５ａ，２６ａは互いに対しても且つ外側部分２５ｂ，２６ｂに対しても傾斜しており、その結果、内側部分２５ａ，２６ａは加圧面から突出している。
【００４７】
加えて、図９は、ダイ（型部）のオプション的な特徴、つまり、凹部のベース（底面）３０が第１及び第２の加圧面の外側部分２５ｂ，２６ｂによって定義される平面よりも内側（下側）に配置されること、を示す。
【００４８】
次の実施例が説明だけで提示される。
【実施例】
【００４９】
［実施例１］EXAMPLE 1
二つの石こうボードが提供された。そのうち、ボードＡは３２０ｇ／ｍ３のシリコーンオイルを含有し、ボードＢはシリコーンオイルを含有しない。
【００５０】
ボードＡ及びボードＢは、図８で述べられた方法に従って押圧された。そして、加圧ヘッド１６及び支持部材１７がお互いに向かって駆動されるところの前記ステップ３２０の間、両ボードとも同じ負荷をかけられた。
【００５１】
ボードＡについて達成された最大テーパー深さは、１．５ｍｍであったのに対し、ボードＢについて達成された最大テーパー深さは、１．０ｍｍであった（最大テーパー深さは、圧縮力の除去後で且つボードの乾燥後に測定された）。
【００５２】
［実施例２］EXAMPLE 2
二つの石こうボードが提供された。そのうち、ボードＣは４８０ｇ／ｍ３のシリコーンオイルを含有し、ボードＤはシリコーンオイルを含有しない。
【００５３】
これらのボードは、図８で述べられた方法に従って押圧された。
【００５４】
各ボードのライナーと、その下に位置する石こうとの間にブリスター形成（blistering、水疱形成）が起きたか否かを観察すべく、ボードが視覚的に確かめられた。その結果を以下の表１に示す。
【００５５】
【表１】
2015500752.tif 000003
【符号の説明】
【００５６】
１０  加圧装置
１６  加圧ヘッド
１７  支持部材
１８  第１の駆動ユニット（駆動手段）
１９  第２の駆動ユニット（駆動手段）
２２  第３の駆動ユニット（駆動手段）
２３  ダイ（型部）
２５，２６  第１及び第２の表面部分（加圧面）
２７  レリーフ部
１００  石こうボード
１０５  凹み
【図１】
2015500752.tif 000004
【図２】
2015500752.tif 000005
【図３】
2015500752.tif 000006
【図４】
2015500752.tif 000007
【図５】
2015500752.tif 000008
【図６】
2015500752.tif 000009
【図７】
2015500752.tif 000010
【図８】
2015500752.tif 000011
【図９】
2015500752.tif 000012
【国際調査報告】
2015500752.tif 000013
2015500752.tif 000014